(57)【要約】【課題】光学部品への異物の付着を防止することが可能な防塵構造を有する光ディスク再生装置を提供する。【解決手段】光ディスクの記録情報を光ピックアップ２により読み取って再生する光ディスク再生装置において、光ディスクと光ピックアップ２との間に配置されるメカシャーシ開口部３にディスクの回転により光ピックアップに向かう空気の対流を遮る位置のメカシャーシ１上に、異物の進入を塞き止める防塵用リブ８を１ないし複数本形成する。該防塵用リブ８の形状は、ターンテーブルの半径方向と平行な方向に長く延在させた直方体形状とする。さらに、異物を堆積し易くする形状の突起部を形成するようにしても良い。【選択図】        図１
2010153007.tif 000002
【特許請求の範囲】
【請求項１】
光ディスクの記録情報を光ピックアップにより読み取る光ディスク再生装置において、メカシャーシの開口部にディスクの回転による光ピックアップに向かう空気の対流を遮る位置に異物の進入を塞き止める防塵用リブを１ないし複数本形成していることを特徴とする光ディスク再生装置。
【請求項２】
前記防塵用リブの形状は、ターンテーブルの半径方向と平行な方向に延在させた形状であることを特徴とする請求項１に記載の光ディスク再生装置。
【請求項３】
前記防塵用リブは、異物を堆積し易くする形状の突起部を有していることを特徴とする請求項１または２に記載の光ディスク再生装置。
【請求項４】
前記防塵用リブの外周部が当接するメカシャーシの壁面に異物排出用の孔が穿設されていることを特徴とする請求項１ないし３のいずれかに記載の光ディスク再生装置。
【発明の詳細な説明】
【技術分野】
【０００１】
本発明は、光ディスク再生装置に関し、特に、光学部品からなる光ピックアップへの塵埃等の異物の付着を防止するための防塵構造を有する光ディスク再生装置に関する。
【背景技術】
【０００２】
特許文献１の特開２００２−３３４４５０号公報「光ディスク装置のピックアップ送り装置」に記載されているようなグリースの飛散を防止するグリースガードを備えたピックアップ送り装置については、車両に搭載する車載用光ディスク再生装置に対して適用する場合は、使用環境の影響により、装置外部から砂塵等の異物が当該車載用光ディスク再生装置内部に侵入し易くなっている。
【０００３】
光ディスク再生装置内部に搭載されている光ディスク情報読み取り部位である光ピックアップは、一般に、図４に示すように、光源となるレーザｆ、光ディスクａに対向して配置されて光束ｇの収束を行う対物レンズｂ、および、レーザｆと対物レンズｂとの間に配置される各種の光学部品（光学フィルタｅ、コリメ−トレンズｄ、反射ミラーｃ等）を使用することにより、光束ｇの透過・反射現象を用いて、光ディスクａの記録情報の読み取りを行っている。しかし、これらの光学部品に砂塵等の異物が付着・堆積した場合は、光量不足や光の乱反射が発生し、性能低下を引き起こしてしまう。なお、図４は、光ディスク装置の光ピックアップ部の構成を示す構成図である。
【特許文献１】特開２００２−３３４４５０号公報（第２−３頁）
【発明の開示】
【発明が解決しようとする課題】
【０００４】
通常の光ディスク再生装置のメカ構造においては、図５に示すように、情報が記録されている光ディスク５に光ピックアップ２を近距離で直接対向させるために、メカシャーシ開口部３としてメカシャーシ１に孔が穿設されて、光ピックアップ２が外部に露出している状態であり、メカシャーシ１の内部に侵入した異物７は、図６の光ディスク回転方向６に示すように、ディスク回転モータ４による光ディスク５の回転によって発生する対流により、メカシャーシ１内部で移動して、光ピックアップ２にも飛来することとなる。図５は、従来の光ディスク再生装置におけるメカ構造を示す構造図であり、図６は、従来の光ディスク再生装置における異物の付着状況を説明する説明図である。
【０００５】
このため、メカシャーシ開口部３に位置して上面側がカバーされていない光ピックアップ２の部分にも、塵埃等の異物７が侵入し、光ピックアップを構成する各種の光学部品への異物７の付着・堆積が発生して、背景技術の項にて説明したように、光量不足や光の乱反射が発生し、例えば光ディスクの記録情報を読み取る機構としての性能の低下を引き起こしてしまう。
【０００６】
本発明は、かかる問題に鑑みてなされたものであり、光学部品への異物の付着を防止することが可能な防塵構造を有する光ディスク再生装置を提供することを、その目的としている。
【課題を解決するための手段】
【０００７】
前述の課題を解決するため、本発明による光ディスク再生装置は、次のような特徴的な構成を採用している。
【０００８】
（１）光ディスクの記録情報を光ピックアップにより読み取る光ディスク再生装置において、メカシャーシの開口部にディスクの回転による光ピックアップに向かう空気の対流を遮る位置に異物の進入を塞き止める防塵用リブを１ないし複数本形成している光ディスク再生装置。
（２）前記防塵用リブの形状は、ターンテーブルの半径方向と平行な方向に延在させた形状である上記（１）の光ディスク再生装置。
（３）前記防塵用リブは、異物を堆積し易くする形状の突起部を有している上記（１）または（２）の光ディスク再生装置。
（４）前記防塵用リブの外周部が当接するメカシャーシの壁面に異物排出用の孔が穿設されている上記（１）ないし（３）のいずれかの光ディスク再生装置。
【発明の効果】
【０００９】
本発明の光ディスク再生装置によれば、以下のような効果を得ることができる。
【００１０】
つまり、光ディスクに光ピックアップを直接対向させるために、メカシャーシ上に異物を塞き止めるための防塵用リブを設けているので、メカシャーシ内部に異物が侵入しても、シャーシ開口部に位置して外部に露出している光ピックアップの光学部品上に異物が侵入して付着することを防止することができ、長い期間に亘って使用しても、光ディスク再生装置としての良好な性能を効果的に確保することができる。
【発明を実施するための最良の形態】
【００１１】
以下、本発明による光ディスク再生装置の好適な実施例について添付図を参照して説明する。
【００１２】
（本発明の特徴）
本発明による光ディスク再生装置は、ピックアップが位置するシャーシ開口部にディスクの回転により光ピックアップに向かう空気の対流を遮る位置のメカシャーシ上に、異物を塞き止める防塵用リブを設置するという防塵構造を採用していることを主要な特徴としている。
【００１３】
（本発明の防塵構造例）
図１は、本発明による光ディスク再生装置の一つの実施例であり、本発明による光ディスク再生装置における防塵構造の一例を示している。図１に示す防塵構造は、図５に示した従来の光ディスク再生装置におけるメカ構造とは異なり、前述したように、メカシャーシ開口部３の手前側側面つまりメカシャーシ開口部３にディスクの回転によりピックアップに向かう空気の対流を遮る位置のメカシャーシ１上に、ターンテーブルの半径方向と平行な方向に長く延在させた形状からなる１ないし複数本の直方体形状の防塵用リブ８を配置したメカ構造を採用している。
【００１４】
すなわち、図１の光ディスク再生装置は、図５の従来の光ディスク再生装置と同様、光ディスクに光ピックアップ２を近距離で直接対向させるために、光ディスクと光ピックアップ２との間には、メカシャーシ開口部３が設けられていて、メカシャーシ１に孔が穿設されて、光ピックアップ２が外部に露出した状態とされており、メカシャーシ１の内部に侵入した異物７は、光ディスク回転方向６に示すように、ディスク回転モータ４による光ディスクの回転によって発生する対流により、メカシャーシ１内部で移動して、光ピックアップ２の方向に飛来してくることとなる。
【００１５】
しかし、図１の光ディスク再生装置のメカ構造においては、前述のように、メカシャーシ開口部３の手前側側面つまりメカシャーシ開口部３縁のメカシャーシ１上にディスクの回転によりピックアップに向かう空気の対流を遮る位置に、１本ないし複数本の直方体形状の防塵用リブを配置している。この防塵用リブ８は、ターンテーブルの半径方向と平行な方向に長く延在された形状であり、かかる形状の防塵用リブ８により光ピックアップ２の方向に飛来する異物７は塞き止められ、メカシャーシ開口部３を介して光ピックアップ２上に侵入することを防ぐことができる。
【００１６】
ここで、光ディスク回転方向６は、図１に示すような一定方向に決まっているので、対流が発生する方向も一定方向であり、したがって、防塵用リブ８のメカシャーシ１上の配置位置も、図１に示すように、メカシャーシ開口部３の手前側側面つまりメカシャーシ１上に配置するようにすれば、異物７は、直方体形状の防塵用リブ８の側面に塞き止められて、光ピックアップ２上への侵入を防ぐことができる。
【００１７】
したがって、光ディスク再生装置において、光ピックアップ２の光学部品上に、光量不足や光の乱反射の要因となる砂塵等の異物７が付着・堆積することを防止することが可能となり、光ディスク再生装置としての性能低下を防止することができる。
【００１８】
（本発明の他の防塵構造例）
次に、異物のピックアップ等の光学部品上への侵入を防ぐ防塵構造の、図１のメカ構造とは異なる構造について説明する。
【００１９】
図２は、本発明による光ディスク再生装置の図１とは異なる実施例であり、本発明による光ディスク再生装置における防塵構造の他の例を示している。図２に示す防塵構造においても、図１の場合と同様、メカシャーシ開口部３の手前側側面つまりメカシャーシ開口部３のディスクの回転により光ピックアップに向かう空気の対流を遮る位置のメカシャーシ１上に、ターンテーブルの半径方向と平行な方向に長く延在させて、１ないし複数本の防塵用リブ９を配置するメカ構造を採用している。
【００２０】
しかし、図２に示す防塵構造は、防塵用リブ９の形状が、図１の場合の防塵用リブ８とは異なり、防塵用リブ９の光ディスク回転方向６とは反対側の側面の形状つまり塵埃等の異物７が飛来してくる方向に対面する防塵用リブ９の側面の形状が、平面形状ではなく、あらかじめ定めた間隔で、飛来してくる異物７を堆積し易くする形状の突起部９Ａが配設されている形状となっている。かくのごとき形状の突起部９Ａを設けることにより、光ディスク回転方向６に飛来してくる異物７を、該突起部９Ａにて捕捉して、防塵用リブ９に堆積し易くすることができ、異物７を、防塵用リブ９の側面でより確実に塞き止めて、光ピックアップ２上へ侵入することをより効果的に防ぐことができる。
【００２１】
図３は、本発明による光ディスク再生装置の図１とはさらに異なる実施例であり、本発明による光ディスク再生装置における防塵構造のさらに異なる例を示している。図３に示す防塵構造においても、図１の場合と同様、メカシャーシ開口部３の手前側つまり異物７が飛来してくる方向に対面するメカシャーシ開口部３の側面部のメカシャーシ１上に、ターンテーブルの半径方向と平行な方向に長く延在させて、１ないし複数本の防塵用リブ８を配置するメカ構造を採用している。
【００２２】
しかし、図３に示す防塵構造は、図１の場合とは異なり、防塵用リブ８の外周側が当接するメカシャーシ１の壁面には、防塵用リブ８の周辺に飛来した異物７をメカシャーシ１の外部へ排出するための異物排出用孔１０が穿設されている構造としている。異物排出用孔１０を穿設することにより、防塵用リブ８の側面に塞き止められた異物７は、異物排出用孔１０からメカシャーシ１の外部へ排出されることになり、光ピックアップ２上へ侵入することをさらに効果的に防ぐことができる。
【００２３】
（本実施例における効果）
前述した実施例の光ディスク再生装置においては、メカシャーシ開口部３の手前側側面つまりディスクの回転により光ピックアップに向かう空気の対流を遮る位置のメカシャーシ１上に異物を塞き止めるための防塵用リブ８または防塵用リブ９を設けているので、メカシャーシ１内部に異物７が侵入しても、メカシャーシ開口部３に露出している光ピックアップ２の光学部品上に異物７が侵入して付着することを防止することができ、長い期間に亘って使用しても、光ディスク再生装置としての性能低下度合いを低減し、良好な性能を維持することができる。また、防塵用リブ９の形状は侵入した異物７が排除しやすいように立方体、三角柱及び湾曲したもの、もしくは、それらを組み合わせたものでもよい。
【００２４】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【図面の簡単な説明】
【００２５】
【図１】本発明による光ディスク再生装置における防塵構造の一例を示す構造図である。
【図２】本発明による光ディスク再生装置における防塵構造の他の例を示す構造図である。
【図３】本発明による光ディスク再生装置における防塵構造のさらに異なる例を示す構造図である。
【図４】光ディスク装置の光ピックアップ部の構成を示す構成図である。
【図５】従来の車載用光ディスク再生装置におけるメカ構造を示す構造図である。
【図６】従来の車載用光ディスク再生装置における異物の付着状況を説明する説明図である。
【符号の説明】
【００２６】
１      メカシャーシ
２      光ピックアップ
３      メカシャーシ開口部
４      ディスク回転モータ
５      光ディスク
６      光ディスク回転方向
７      異物
８      防塵用リブ
９      防塵用リブ
９Ａ    突起部
１０    異物排出用孔
ａ      光ディスク
ｂ      対物レンズ
ｃ      反射ミラー
ｄ      コリメ−トレンズ
ｅ      光学フィルタ
ｆ      レーザ
ｇ      光束
【図１】
2010153007.tif 000003
【図２】
2010153007.tif 000004
【図３】
2010153007.tif 000005
【図４】
2010153007.tif 000006
【図５】
2010153007.tif 000007
【図６】
2010153007.tif 000008